(57)【要約】【課題】  本発明は、表示に奥行きのある立体感を得ることができ、商品性を向上させることが可能な表示装置を提供する。【解決手段】  表示装置１０は、表示面（発光表示面）１１ａが観察者の視線方向Ｅに対して傾斜するように配設され第一の光Ｌ１を発して第一の表示像２１を表示する第一の表示器１１と、第二の光Ｌ２を発して第二の表示像２２を表示する第二の表示器１２と、第一の表示器１１と第二の表示器１２との間に配設され、第一の光Ｌ１を前記観察者側に透過し、第二の光Ｌ２を前記観察者側に反射する透過型反射パネル（ハーフミラー）１３と、を備えてなる。また、第一，第二の表示器１１，１２は、透過型反射パネル１３における第一の光Ｌ１の透過個所の少なくとも一部が第二の光Ｌ２の反射個所と重なるように配設されてなる。【選択図】  図１
2006177920.tif 000002
【特許請求の範囲】
【請求項１】
表示面が観察者の視線方向に対して傾斜するように配設され第一の光を発して第一の表示像を表示する第一の表示器と、第二の光を発して第二の表示像を表示する第二の表示器と、前記第一の表示器と前記第二の表示器との間に配設され、前記第一の光を前記観察者側に透過し、前記第二の光を前記観察者側に反射する透過型反射パネルと、を備えてなることを特徴とする表示装置。
【請求項２】
前記第一，第二の表示器は、前記透過型反射パネルにおける前記第一の光の透過個所の少なくとも一部が前記第二の光の反射個所と重なるように配置されてなることを特徴とする請求項１に記載の表示装置。
【請求項３】
前記第一，第二の表示器は、前記第二の表示像の虚像が前記第一の表示器の前記表示面の前記観察者に近い側の端部から前記表示面の前記観察者から遠い側の端部までの間に位置するように配置されてなることを特徴とする請求項２に記載の表示装置。
【請求項４】
前記第一の表示器は、前記表示面が前記観察者の視線方向に対して上向きに傾斜するように配設されてなることを特徴とする請求項１に記載の表示装置。
【請求項５】
前記第一の表示器は、前記表示面が前記観察者の視線方向となす角度が４５度以下となるように配設されてなることを特徴とする請求項４に記載の表示装置。
【請求項６】
前記第一の表示器は、前記表示面が前記観察者の視線方向に対して下向きに傾斜するように配設されてなることを特徴とする請求項１に記載の表示装置。
【請求項７】
前記第一の表示器は、前記表示面が前記観察者の視線方向となす角度が１３５度以上となるように配設されてなることを特徴とする請求項６に記載の表示装置。
【請求項８】
前記第一，第二の表示器の少なくとも一方は、有機ＥＬ素子を備える有機ＥＬパネルからなることを特徴とする請求項１に記載の表示装置。
【請求項９】
前記第一の表示器は、道路を示す画像を表示してなることを特徴とする請求項１に記載の表示装置。
【請求項１０】
前記第二の表示器は、車両，車両周辺の対象物，車両情報，警告情報及び経路誘導情報の少なくとも１つを示す画像を表示してなることを特徴とする請求項１に記載の表示装置。
【請求項１１】
前記第一の表示器と並んで配置される第三の表示器を備え、前記第一の表示器は、前記表示面の少なくとも一部が前記第三の表示器の表示面よりも前記観察者から遠い側に位置するように配設されてなることを特徴とする請求項１に記載の表示装置。
【請求項１２】
前記第三の表示器は、前記表示面上を回動する指針を有するアナログ式表示器からなることを特徴とする請求項１１に記載の表示装置。
【請求項１３】
前記第一，第三の表示器と並んで配置される第四の表示器を備え、前記第一の表示器は、前記第三の表示器と前記第四の表示器との間に前記表示面の少なくとも一部が前記第三，第四の表示器の表示面よりも前記観察者から遠い側に位置するように配設されてなることを特徴とする請求項１１に記載の表示装置。
【請求項１４】
前記第三，第四の表示器の少なくとも一方は、前記表示面上を回動する指針を有するアナログ式表示器からなることを特徴とする請求項１３に記載の表示装置。
【請求項１５】
電源スイッチのオンなる入力に応じて前記第一，第二の表示器に前記第一，第二の表示像を順次表示させる初期動作機能を有してなることを特徴とする請求項１に記載の表示装置。
【請求項１６】
電源スイッチのオンなる入力に応じて前記第一，第二の表示器に前記第一，第二の表示像の少なくとも一方をスクロールイン表示させる初期動作機能を有してなることを特徴とする請求項１に記載の表示装置。
【請求項１７】
前記初期動作機能において、前記第一，第二の表示器に前記第一，第二の表示像を互いに異なる方向からスクロールイン表示させてなることを特徴とする請求項１６に記載の表示装置。
【請求項１８】
電源スイッチのオフなる入力に応じて前記第一，第二の表示器に前記第一，第二の表示像を順次非表示とさせる終了動作機能を有してなることを特徴とする請求項１に記載の表示装置。
【請求項１９】
電源スイッチのオフなる入力に応じて前記第一，第二の表示器に前記第一，第二の表示像の少なくとも一方をスクロールアウトさせる終了動作機能を有してなることを特徴とする請求項１に記載の表示装置。
【請求項２０】
前記終了動作機能において、前記第一，第二の表示器に前記第一，第二の表示像を互いに異なる方向からスクロールアウトさせてなることを特徴とする請求項１９に記載の表示装置。
【発明の詳細な説明】
【技術分野】
【０００１】
本発明は、透過型反射パネルを備え、虚像表示と実像表示とを組み合わせて表示する表示装置に関する。
【背景技術】
【０００２】
従来、表示装置としては、例えば特許文献１〜３に示されているように、発光表示器の前方（表示面側）にハーフミラーと称される透過型反射パネルを配設するとともに透過型反射パネルの前方側にさらに他の発光表示器を配置し、前記発光表示器から発せられる光を透過型反射パネルを透過させて実像表示し、前記他の発光表示器から発せられる光を透過型反射パネルで反射して虚像表示する表示装置が知られている。
【０００３】
図１２は上述の表示装置の従来例を示すものであり、表示装置１は、実像用発光表示器２と、虚像用発光表示器３と、実像用発光表示器２と虚像用発光表示器３との間に配設されるハーフミラー４とを備える。ハーフミラー４としては、透明な無機ガラスあるいは合成樹脂からなるパネル基材４ａの表面（虚像用発光表示器３に対向する面）に、アルミニウム等の光沢を有する金属からなる反射膜４ｂを蒸着法等の手段により被着したものを使用している。
【０００４】
実像用発光表示器２から発せられた光２ａは、透明なパネル基材４ａ内に入射し、さらに反射膜４ｂを観察者５側に向かって透過する。これにより観察者５は光２ａによって形成される表示像の実像を視認することができる。また、虚像用発光表示器３の光３ａは反射膜４ｂにより観察者５側に向けて良好に反射され、これにより観察者５は光３ａによって形成される表示像の虚像を視認することができる。
【特許文献１】特開平９−２５７５２３号公報
【特許文献２】特開２００２−１１４０５８号公報
【特許文献３】特開２００２−１０４０１９号公報
【発明の開示】
【発明が解決しようとする課題】
【０００５】
かかる表示装置１は、実像用発光表示器２による実像表示と虚像用発光表示器３による虚像表示とを組み合わせて表示することによって、例えば観察者５に前記虚像が前記実像の前方に位置するように視認される立体的な表示を得ることができる。
【０００６】
しかしながら、かかる表示装置１は、前記実像と前記虚像との距離感の差によって立体感を得ることができるのみであり、表示に奥行き感を得ることができず、立体感を得る表示方法としては更なる改良の余地があった。
【０００７】
本発明は、上述の点に鑑みてなされたもので、表示に奥行きのある立体感を得ることができ、商品性を向上させることが可能な表示装置を提供することを主たる目的とする。
【課題を解決するための手段】
【０００８】
本発明の表示装置は、前記課題を解決するため、表示面が観察者の視線方向に対して傾斜するように配設され第一の光を発して第一の表示像を表示する第一の表示器と、第二の光を発して第二の表示像を表示する第二の表示器と、前記第一の表示器と前記第二の表示器との間に配設され、前記第一の光を前記観察者側に透過し、前記第二の光を前記観察者側に反射する透過型反射パネルと、を備えてなることを特徴とする。
【０００９】
また、本発明は、前記第一，第二の表示器は、前記透過型反射パネルにおける前記第一の光の透過個所の少なくとも一部が前記第二の光の反射個所と重なるように配置されてなることを特徴とする。
【００１０】
また、本発明は、前記第一，第二の表示器は、前記第二の表示像の虚像が前記第一の表示器の前記表示面の前記観察者に近い側の端部から前記表示面の前記観察者から遠い側の端部までの間に位置するように配置されてなることを特徴とする。
【００１１】
また、本発明は、前記第一の表示器は、前記表示面が前記観察者の視線方向に対して上向きに傾斜するように配設されてなることを特徴とする。
【００１２】
また、本発明は、前記第一の表示器は、前記表示面が前記観察者の視線方向となす角度が４５度以下となるように配設されてなることを特徴とする。
【００１３】
また、本発明は、前記第一の表示器は、前記表示面が前記観察者の視線方向に対して下向きに傾斜するように配設されてなることを特徴とする。
【００１４】
また、本発明は、前記第一の表示器は、前記表示面が前記観察者の視線方向となす角度が１３５度以上となるように配設されてなることを特徴とする。
【００１５】
また、本発明は、前記第一，第二の表示器の少なくとも一方は、有機ＥＬ素子を備える有機ＥＬパネルからなることを特徴とする。
【００１６】
また、本発明は、前記第一の表示器は、道路を示す画像を表示してなることを特徴とする。
【００１７】
また、本発明は、前記第二の表示器は、車両，車両周辺の対象物，車両情報，警告情報及び経路誘導情報の少なくとも１つを示す画像を表示してなることを特徴とする。
【００１８】
また、本発明は、前記第一の表示器と並んで配置される第三の表示器を備え、前記第一の表示器は、前記表示面の少なくとも一部が前記第三の表示器の表示面よりも前記観察者から遠い側に位置するように配設されてなることを特徴とする。
【００１９】
また、本発明は、前記第三の表示器は、前記表示面上を回動する指針を有するアナログ式表示器からなることを特徴とする。
【００２０】
また、本発明は、前記第一，第三の表示器と並んで配置される第四の表示器を備え、前記第一の表示器は、前記第三の表示器と前記第四の表示器との間に前記表示面の少なくとも一部が前記第三，第四の表示器の表示面よりも前記観察者から遠い側に位置するように配設されてなることを特徴とする。
【００２１】
また、本発明は、前記第三，第四の表示器の少なくとも一方は、前記表示面上を回動する指針を有するアナログ式表示器からなることを特徴とする。
【００２２】
また、本発明は、電源スイッチのオンなる入力に応じて前記第一，第二の表示器に前記第一，第二の表示像を順次表示させる初期動作機能を有してなることを特徴とする。
【００２３】
また、本発明は、電源スイッチのオンなる入力に応じて前記第一，第二の表示器に前記第一，第二の表示像の少なくとも一方をスクロールイン表示させる初期動作機能を有してなることを特徴とする。
【００２４】
また、本発明は、前記初期動作機能において、前記第一，第二の表示器に前記第一，第二の表示像を互いに異なる方向からスクロールイン表示させてなることを特徴とする。
【００２５】
また、本発明は、電源スイッチのオフなる入力に応じて前記第一，第二の表示器に前記第一，第二の表示像を順次非表示とさせる終了動作機能を有してなることを特徴とする。
【００２６】
また、本発明は、電源スイッチのオフなる入力に応じて前記第一，第二の表示器に前記第一，第二の表示像の少なくとも一方をスクロールアウトさせる終了動作機能を有してなることを特徴とする。
【００２７】
また、本発明は、前記終了動作機能において、前記第一，第二の表示器に前記第一，第二の表示像を互いに異なる方向からスクロールアウトさせてなることをを特徴とする。
【発明の効果】
【００２８】
本発明は、透過型反射パネルを備え、虚像表示と実像表示とを組み合わせて表示する表示装置に関し、表示に奥行きのある立体感を得ることができ、商品性を向上させることが可能となる。
【発明を実施するための最良の形態】
【００２９】
以下、添付図面に基づき本発明を車両用の表示装置に適用した第一の実施形態について説明する。図１及び図２に示すように、表示装置１０は、第一の表示器１１と、第二の表示器１２と、ハーフミラー（透過型反射パネル）１３と、第三の表示器１４と、第四の表示器１５と、で主に構成される。
【００３０】
第一の表示器１１は、その発光表示面（表示面）１１ａがハーフミラー１３の裏面（後述するパネル基材側の面）と対向し、また、第三，第四の表示器１４，１５と並んで配設される発光表示パネルからなり、例えば、少なくとも発光層を有する有機層を一対の電極で挟持してなるドットマトリクス型の有機ＥＬ素子をガラス基板上に形成してなる有機ＥＬパネルからなる。また、第一の表示器１１は、図２に示すように、観察者の視線方向Ｅから見て第三の表示器１４と第四の表示器１５との間に位置するように配設される。また、第一の表示器１１は、その発光表示面１１ａが第三，第四の表示器１４，１５の発光表示面よりも後方に位置するように配設される。第一の表示器１１は、前記両電極間に直流電流を印加することによって、光源となる前記有機ＥＬ素子を発光させ、発光表示面１１ａから光を出射して第一の表示像２１を形成する。第一の表示像２１は、発光表示面１１ａから視線方向Ｅに対して平行方向に出射され、ハーフミラー１３を視線方向Ｅに向かって透過する第一の光Ｌ１によって形成され、前記観察者からは実像として視認されるものであり、図２に示すように、例えば道路を示す画像からなる。なお、第一の表示像２１の表示形態は任意であり、他に枠状や矢印状の画像であってもよい。また、第一の表示器１１は、発光表示面１１ａが視線方向Ｅに対して上向きに傾斜するように配置されている。このとき、図３に示すように、第一の表示器１１の発光表示面１１ａと視線方向Ｅとのなす角度θ１は９０度より小さくなる。また、表示に十分な奥行きを与えるためには角度θ１が０度より大きく４５度以下となることが好ましい。また、第二の表示器１２の発光表示面（表示面）１２ａが視線方向Ｅに対して平行に配置される場合、第一の表示器１１の発光表示面１１ａと第二の表示器１２の発光表示面１２ａとのなす角度θ２も同様に９０度より小さく（望ましくは４５度以下）なる。
【００３１】
第二の表示器１２は、その発光表示面１２ａが視線方向Ｅに対して平行であり、また、ハーフミラー１３の表面（後述する反射膜側の面）と対向するように配設される発光表示パネルからなり、例えば、少なくとも発光層を有する有機層を一対の電極で挟持してなるドットマトリクス型の有機ＥＬ素子をガラス基板上に形成してなる有機ＥＬパネルからなる。また、第二の表示器１２は、ハーフミラー１３よりも前方（観察者側）であって、前記観察者からは直接見えない位置に配置される。第二の表示器１２は、前記両電極間に直流電流を印加することによって、光源となる前記有機ＥＬ素子を発光させ、発光表示面１２ａから光を出射して第二の表示像２２を形成する。第二の表示像２２は、発光表示面１２ａからハーフミラー１３に対して所定の角度方向（本第一の実施形態では４５度）に出射され、ハーフミラー１３によって視線方向Ｅに向かって反射される第二の光Ｌ２によって形成され、前記観察者からは虚像として視認されるものであり、図２に示すように、例えば車両を示す画像からなる。なお、第二の表示像２２の表示形態は任意であり、他に先行車，後続車，障害物，建造物及び歩行者等の車両周辺の対象物、車速，エンジン回転数及び走行距離等の車両情報、警告情報及び経路誘導情報の何れかを示す画像であってもよい。また、第二の表示器１２は、発光表示面１２ａのハーフミラー１３までの距離を調整して配置されることによって、第二の表示像２２の虚像が、第一の表示器１１の発光表示面１１ａの前記観察者に近い側の端部（本第一の実施形態においては下端部）から発光表示面１１ａの前記観察者から遠い側の端部（本第一の実施形態においては上端部）までの間に位置するように表示されることが好ましい。すなわち、第二の表示像２２の虚像が、発光表示面１１ａの上方あるいは発光表示面１１ａと交わる位置に表示されることが好ましい。
【００３２】
ハーフミラー１３は、前記観察者の視線方向Ｅに対して平行な光を透過させ、視線方向Ｅに対して傾斜した光を反射させる半透過型の反射部材である。ハーフミラー１３は、図３に詳しく示すように、例えば黒色等の暗色系の色素（顔料）を混入した無機ガラスからなる板状のパネル基材１３ａと、このパネル基材１３ａの表面（第二の表示器１２の発光表示面１２ａに対向する外側面）に蒸着法等の手段により形成されるアルミニウム（Ａｌ）等の光沢のある金属材料からなる反射膜１３ｂとを有し、前記観察者側から見たとき、第一の表示器１１の発光表示面１１ａを覆い、且つ反射膜１３ｂが第二の表示器１２の発光表示面１２ａに対向するように、例えば第二の表示器１２及び視線方向Ｅに対して４５度の傾き角度を有して配置されている。
【００３３】
第三，第四の表示器１４，１５は、ハーフミラー１３の裏面と対向し、また、視線方向Ｅから見て第一の表示器１１と並んで配設されるアナログ式表示器であり、第三の表示器１４は計測値として車速を表示し、第四の表示器１５は計測値として車両のエンジン回転数を表示する。第三，第四の表示器１４，１５は、回転軸を回転させるステッピングモータ等の駆動装置によって回転する指針１４ａ，１５ａと、この指針１４ａ，１５ａの背後に配置される表示板１６に円弧状に複数形成される指針１４ａ，１５ａの指示対象となる目盛や数字、図形等の指標部１４ｂ，１５ｂと、指針１４ａ，１５ａ及び指標部１４ｂ，１５ｂを照明するＬＥＤ等からなる複数の光源（図示しない）と、を有する。
【００３４】
第三，第四の表示器１４，１５は、前記各光源が点灯すると、図２に示すように、指針１４ａ，１５ａを示す指針表示像２３ａ，２４ａと、指標部１４ｂ，１５ｂを示す指標表示像２３ｂ，２４ｂとでなる第三，第四の表示像２３，２４をそれぞれ形成する。第三，第四の表示像２３，２４は、指針１４ａ，１５ａ及び指標部１４ｂ，１５ｂの発光表示面から視線方向Ｅに対して平行方向に出射され、ハーフミラー１３を視線方向Ｅに向かって透過する第三，第四の光（図示しない）によって形成され、前記観察者からは実像として視認される。なお、指針１４ａ，１５ａは、前記光源からの光で発光可能な透明合成樹脂材と遮光性合成樹脂材とで形成され、遮光性合成樹脂材より露出する透明合成樹脂材が部分的に発光して指針表示像２３ａ，２４ａが形成される。また、表示板１６には、遮光性インクと透光性インクとからなる各印刷層が形成され、透光性インクからなる印刷層により指標部１４ｂ，１５ｂが形成され、指標部１４ｂ，１５ｂを透過した光によって指標表示像２３ｂ，２４ｂが形成される。
【００３５】
かかる表示装置１０は、例えば車両に装備された図示しない電源スイッチ（キースイッチまたはイグニッションスイッチ）のオフ時は、ハーフミラー１３自体が暗色に視認され（無表示状態）、前記電源スイッチをオンすると、第一，第二，第三，第四の表示器１１，１２，１４，１５が後述する初期動作を経て第一，第二，第三，第四の表示像２１，２２，２３，２４を発光表示する。これにより、図２に示すように、ハーフミラー１３上に実像である第一，第三，第四の表示像２１，２３，２４と、虚像である第二の表示像２２とが組み合わせて表示される。かかる表示形態は、第一の表示器１１の発光表示面１１ａ及び第二の表示像２２の虚像が第三，第四の表示器１４，１５の前記発光表示面よりも後方に位置するように配設されるため、第一，第二の表示像２１，２２が第三，第四の表示像２３，２４に対して後方に位置するように前記観察者に視認され、各表示像２１〜２４の組み合わせによって表示に立体感を与えることが可能となっている。なお、前記電源スイッチの操作位置や、別途設けたスイッチの切替に応じて各表示像２１〜２４を選択的に表示されるようにしてもよい。
【００３６】
また、かかる表示形態は、特に、第一の表示器１１が前記観察者の視線方向Ｅに対して上向きに傾斜して配置されることによって発光表示面１１ａの下端部から上端部に向かって奥行き感のある表示がなされる第一の表示像２１と、発光表示面１１ａの上方あるいは発光表示面１１ａと交わる位置に虚像表示されることによって第一の表示像２１上に浮かび上がっているように視認される第二の表示像２２と、を互いに重ねて表示させることによって、表示に奥行きのある立体感を与えることが可能となっている。なお、第一，第二の表示像２１，２２を互いに重ねて表示させるために、第一，第二の表示器１１，１２は、ハーフミラー１３における第一の光Ｌ１の透過個所Ｒ１の少なくとも一部が第二の光Ｌ２の反射個所Ｒ２と重なるように配設されている。上述のような第一，第二の表示像２１，２２を組み合わせた表示においては、虚像表示される第二の表示像２２を、徐々に縮小あるいは拡大させながら第一の表示器の発光表示面１１ａの傾斜方向に表示位置を移動させることによって、あたかも第二の表示像２２が第一の表示像２１に沿って奥行き方向に移動するかのように視認される表示を得ることができる。本第一の実施形態においては、第一の表示器１１の発光表示面１１ａが前記観察者の視線方向Ｅに対して上向き（縦方向）に傾斜しているため、第二の表示像２２を、前記観察者に近い発光表示面１１ａの前記下端部と重なる位置から前記観察者から遠い発光表示面１１ａの前記上端部と重なる位置に表示位置を移動させるのに応じて徐々に縮小表示させることによって、第二の表示像２２が奥行きのある第一の表示像２１に沿って前記観察者から遠ざかりながら移動しているように視認される表示が得られる。また、第二の表示像２２を、前記観察者から遠い発光表示面１１ａの前記上端部と重なる位置から前記観察者に近い発光表示面１１ａの前記下端部と重なる位置に表示位置を移動させるのに応じて徐々に拡大表示させることによって、第二の表示像２２が奥行きのある第一の表示像２１に沿って前記観察者に近づきながら移動しているように視認される表示が得られる。
【００３７】
また、表示装置１０は、前記電源スイッチのオンなる入力に応じて各表示器１１，１２，１４，１５に通常時の表示動作とは異なる所定の初期動作をさせる初期動作機能と、前記電源スイッチのオフなる入力に応じて各表示器１１，１２，１４，１５に通常時の表示動作とは異なる所定の終了動作をさせる終了動作機能と、を有している。
【００３８】
図４は前記初期動作におけるタイムチャートを示す図である。表示装置１０に備えられるマイクロコンピュータ等からなる制御手段（図示しない）は、前記電源スイッチの状態を示す検出信号を入力し、前記電源スイッチのオン状態への移行（電源スイッチのオンなる入力）が検出されると、まず第一の表示器１１に第一の表示像２１を表示させ（図５（ａ）参照）、さらに第一の表示像２１の表示から時間ｔ１後に第二の表示器１２に第二の表示像２２を表示させる（図５（ｂ）参照）。なお、前記初期動作時においては図５に示すように第一の表示像２１として枠状マークが表示され、第二の表示像２２として車両を示す画像が表示されている。また、前記初期動作において、前記制御手段は、第一の表示像２１の表示と同期して第三，第四の表示器１４，１５に指標部１４ｂ，１５ｂを示す指標表示像２３ｂ，２４ｂを表示させ、さらに時間ｔ１後に第二の表示像２２の表示と同期して指針１４ａ，１５ａを示す指針表示像２３ａ，２４ａを表示させると共に指針１４ａ，１５ａを原点位置から最大角度位置までの範囲での回動動作を開始させる。
【００３９】
なお、前記初期動作としては、第一，第二の表示器１１，１２に第一，第二の表示像２１，２２の少なくとも一方を表示範囲外から徐々に表示範囲内に移動させるスクロールイン表示させるものであってもよい。図６は、前記初期動作において第一，第二の表示像をスクロールイン表示させる場合の表示例を示しており、第一，第二の表示器１１，１２に第一，第二の表示像２１，２２を互いに異なる方向からスクロールイン表示させるものである。また、第三，第四の表示器１４，１５による表示及び回動動作は、第一，第二の表示像２１，２２の表示と所定の時間差をもってなされるものであってもよい。
【００４０】
図７は前記終了動作におけるタイムチャートを示す図である。前記制御手段は、前記電源スイッチの状態を示す検出信号を入力し、前記電源スイッチのオフ状態への移行（電源スイッチのオフなる入力）が検出されると、第一，第二の表示像２１，２２が表示された状態から（図８（ａ）参照）、まず第二の表示器１２に第二の表示像２２を非表示とさせ（図８（ｂ）参照）、さらに第二の表示像２２の非表示から時間ｔ２後に第一の表示器１１に第一の表示像２１を非表示とさせる（図８（ｃ）参照）。なお、前記終了動作時においては図８に示すように第一の表示像２１として枠状マークが表示され、第二の表示像２２として車両を示す画像が表示されている。また、前記終了動作において、前記制御手段は、第二の表示像２２の非表示と同期して第三，第四の表示器１４，１５に指標部１４ｂ，１５ｂを示す指標表示像２３ｂ，２４ｂを非表示とさせ、さらに時間ｔ２後に第一の表示像２１の非表示と同期して指針１４ａ，１５ａを示す指針表示像２３ａ，２４ａを非表示とさせる。
【００４１】
なお、前記終了動作としては、第一，第二の表示器１１，１２に第一，第二の表示像２１，２２の少なくとも一方を表示範囲内から徐々に表示範囲外に移動させるスクロールアウトによって非表示とさせるものであってもよい。図９は、前記終了動作において第一，第二の表示像２１，２２をスクロールアウトさせる表示例を示しており、第一，第二の表示器１１，１２に第一，第二の表示像２１，２２を互いに異なる方向からのスクロールアウトによって非表示とさせるものである。また、第三，第四の表示器１４，１５による非表示は、第一，第二の表示像２１，２２の非表示と所定の時間差をもってなされるものであってもよい。
【００４２】
本第一の実施形態である表示装置１０は、発光表示面１１ａが観察者の視線方向Ｅに対して傾斜するように配設され第一の表示像２１を形成する第一の光Ｌ１を発する第一の表示器１１と、第二の表示像２２を形成する第二の光Ｌ２を発する第二の表示器１２と、第一の表示器１１と第二の表示器１２との間に配設され、第一の光Ｌ１を前記観察者の視線方向Ｅに透過し、第二の光Ｌ２を前記観察者の視線方向Ｅに反射するハーフミラー１３と、を備えてなるものである。また、第一，第二の表示器１１，１２が、ハーフミラー１３における第一の光Ｌ１の透過個所Ｒ１の少なくとも一部が第二の光Ｌ２の反射個所Ｒ２と重なるように配設されてなるものである。また、第一，第二の表示器１１，１２が、第二の表示像２２の虚像が第一の表示器１１の発光表示面１１ａの前記観察者に近い側の端部から発光表示面１１ａの前記観察者から遠い側の端部までの間に位置するように配置されるものである。また、第一の表示器１１は、発光表示面１１ａが前記観察者の視線方向Ｅに対して上向きに傾斜するように配設されてなるものである。また、第一の表示器１１が、第一の表示像２１として、道路を示す画像を表示してなるものである。また、第二の表示器１２が、第二の表示像２２として、車両，車両周辺の対象物，車両情報，警告情報及び経路誘導情報の少なくとも１つを示す画像を表示してなるものである。
【００４３】
以上の構成によって、表示装置１０は、第一の表示器１１が前記観察者の視線方向Ｅに対して傾斜して配置されることによって奥行き感のある表示がなされる第一の表示像２１と、虚像表示されることによって第一の表示像２１上に浮かび上がっているように視認される第二の表示像２２と、を互いに重ねて表示させることによって、表示に奥行きのある立体感を与えることが可能となり、斬新な表示を可能とすることで表示装置としての商品性を向上させることができる。
【００４４】
また、第一の表示器１１を、その発光表示面１１ａが第二の表示器１２の発光表示面１２ａとなす角度θ１が４５度以下となるように配設することによって、第一の表示像２１に十分な奥行き感を与えることができる。また、前記観察者の視線方向Ｅに対して傾斜して配置される第一の表示器１１として、視野角の広い自発光素子である有機ＥＬ素子を備える有機ＥＬパネルを用いることで、傾斜して配置する場合であっても第一の表示像２１を良好に表示させることができる。また、第二の表示像２２が虚像表示される第二の表示器２２として、表示コントラストが高い有機ＥＬ素子を備える有機ＥＬパネルを用いることで、第二の表示像２２の虚像を明瞭に表示することができる。
【００４５】
また、表示装置１０は、第一の表示器１１と並んで配置される第三，第四の表示器１４，１５を備え、第一の表示器１１が、その発光表示面１１ａの少なくとも一部が第三，第四の表示器１４，１５の前記発光表示面よりも後方に位置するように配設されてなるものである。したがって、第一の表示像２１が第三，第四の表示像２３，２４に対して後方に位置するように前記観察者に視認されるため、各表示像２１〜２４の組み合わせによって表示に立体感を与えることが可能となる。
【００４６】
また、表示装置１０は、前記電源スイッチのオンなる入力に応じて第一，第二の表示器１１，１２に第一，第二の表示像２１，２２を順次表示させる、第一，第二の表示器１１，１２に第一，第二の表示像２１，２２の少なくとも一方をスクロールイン表示させる前記初期動作機能を有してなるものである。したがって、前記電源スイッチのオンに基づいて奥行きのある表示を利用した斬新な表示表現を行うことができ、表示装置としての商品性を向上させることができる。
【００４７】
また、表示装置１０は、前記電源スイッチのオフなる入力に応じて第一，第二の表示器１１，１２に第一，第二の表示像２１，２２を順次非表示とさせる、あるいは、第一，第二の表示器１１，１２に第一，第二の表示像２１，２２の少なくとも一方をスクロールアウトさせる前記終了動作機能を有してなるものである。したがって、前記電源スイッチのオフに基づいて奥行きのある表示を利用した斬新な表示表現を行うことができ、表示装置としての商品性を向上させることができる。
【００４８】
なお、本実施の形態において、第一の表示器１１は、前記観察者の視線方向Ｅに対して上向きに傾斜するように配設されるものであったが、第一の表示器１１の傾斜方向は、視線方向Ｅに対して上向きであることに限定されない。図１０に示すような視線方向Ｅに対して下向き、あるいは図１１に示すような視線方向Ｅに対して横向きであってもよい。
【００４９】
図１０は、本発明の第二の実施形態を示している。なお、前述の第一の実施形態と同一または相当個所には同一符号を付して詳細な説明を省略する。
【００５０】
本第二の実施の形態においては、第一の表示器１１は、その発光表示面１１ａが前記観察者の視線方向Ｅに対して下向きに傾斜するように配置されている。このとき、図１０に示すように、第一の表示器１１の発光表示面１１ａと視線方向Ｅとのなす角度θ１は９０度より大きくなる。また、表示に十分な奥行きを与えるためには角度θ１が１３５度以上１８０度未満となることが好ましい。また、第二の表示器１２の発光表示面１２ａが視線方向Ｅに対して平行に配置される場合、第一の表示器１１の発光表示面１１ａと第二の表示器１２の発光表示面１２ａとのなす角度θ２も同様に９０度より大きく（望ましくは１３５度以上）なる。なお、第二の表示器１２は、発光表示面１２ａのハーフミラー１３までの距離を調整して配置されることによって、第二の表示像２２の虚像が、第一の表示器１１の発光表示面１１ａの前記観察者に近い側の端部（本第二の実施形態においては上端部）から発光表示面１１ａの前記観察者から遠い側の端部（本第二の実施形態においては下端部）までの間に位置するように表示されることが好ましい。すなわち、第二の表示像２２の虚像が、発光表示面１１ａの下方あるいは発光表示面１１ａと交わる位置に表示されることが好ましい。
【００５１】
かかる表示形態は、第一の表示器１１が前記観察者の視線方向Ｅに対して下向きに傾斜して配置されることによって発光表示面１１ａの上方から下方に向かって奥行き感のある表示がなされる第一の表示像２１と、発光表示面１１ａの下方あるいは発光表示面１１ａと交わる位置に虚像表示されることによって第一の表示像２１の下方に浮かび上がっているように視認される第二の表示像２２と、を互いに重ねて表示させることによって、表示に奥行きのある立体感を与えることが可能となっている。なお、第一，第二の表示像２１，２２を互いに重ねて表示させるために、第一，第二の表示器１１，１２は、ハーフミラー１３における第一の光Ｌ１の透過個所Ｒ１の少なくとも一部が第二の光Ｌ２の反射個所Ｒ２と重なるように配設されている。また、本第二の実施形態においては、第一の表示器１１の発光表示面１１ａが前記観察者の視線方向Ｅに対して下向き（縦方向）に傾斜しているため、第二の表示像２２を、前記観察者に近い発光表示面１１ａの前記上端部と重なる位置から前記観察者から遠い発光表示面１１ａの前記下端部と重なる位置に表示位置を移動させるのに応じて徐々に縮小表示させることによって、第二の表示像２２が奥行きのある第一の表示像２１に沿って前記観察者から遠ざかりながら移動しているように視認される表示が得られる。また、第二の表示像２２を、前記観察者から遠い発光表示面１１ａの前記下端部と重なる位置から前記観察者に近い発光表示面１１ａの前記上端部と重なる位置に表示位置を移動させるのに応じて徐々に拡大表示させることによって、第二の表示像２２が奥行きのある第一の表示像２１に沿って前記観察者に近づきながら移動しているように視認される表示が得られる。
【００５２】
図１１は、本発明の第三の実施形態を示している。なお、前述の第一の実施形態と同一または相当個所には同一符号を付して詳細な説明を省略する。
【００５３】
本第三の実施の形態においては、第一の表示器１１は、その発光表示面１１ａが前記観察者の視線方向Ｅに対して横向きに傾斜するように配置されている。このとき、図１１に示すように、第一の表示器１１の発光表示面１１ａと視線方向Ｅとのなす角度θ１は９０度より小さくなる。また、表示に十分な奥行きを与えるためには角度θ１が０度より大きく４５度以下となることが好ましい。なお、第二の表示器１２は、発光表示面１２ａのハーフミラー１３までの距離を調整して配置されることによって、第二の表示像２２の虚像が、第一の表示器１１の発光表示面１１ａの前記観察者に近い側の端部（本第三の実施形態においては前記観察者から見て左側端部）から発光表示面１１ａの前記観察者から遠い側の端部（本第三の実施形態においては前記観察者から見て右側端部）までの間に位置するように表示されることが好ましい。すなわち、第二の表示像２２の虚像が、発光表示面１１ａの側方あるいは発光表示面１１ａと交わる位置に表示されることが好ましい。
【００５４】
かかる表示形態は、第一の表示器１１が前記観察者の視線方向Ｅに対して横向きに傾斜して配置されることによって横方向に向かって奥行き感のある表示がなされる第一の表示像２１と、発光表示面１１ａの側方あるいは発光表示面１１ａと交わる位置に虚像表示されることによって第一の表示像２１の側方に浮かび上がっているように視認される第二の表示像２２と、を互いに重ねて表示させることによって、表示に奥行きのある立体感を与えることが可能となっている。なお、第一，第二の表示像２１，２２を互いに重ねて表示させるために、第一，第二の表示器１１，１２は、ハーフミラー１３における第一の光Ｌ１の透過個所Ｒ１の少なくとも一部が第二の光Ｌ２の反射個所Ｒ２と重なるように配設されている。また、本第三の実施形態においては、第一の表示器１１の発光表示面１１ａが前記観察者の視線方向Ｅに対して横向き（横方向）に傾斜しているため、第二の表示像２２を、発光表示面１１ａの前記観察者に近い左側端部と重なる位置から発光表示面１１ａの前記観察者から遠い右側端部と重なる位置に表示位置を移動させるのに応じて徐々に縮小表示させることによって、第二の表示像２２が奥行きのある第一の表示像２１に沿って前記観察者から遠ざかりながら移動しているように視認される表示が得られる。また、第二の表示像２２を、発光表示面１１ａの前記観察者から遠い前記右側端部と重なる位置から発光表示面１１ａの前記観察者に近い前記左側端部と重なる位置に表示位置を移動させるのに応じて徐々に拡大表示させることによって、第二の表示像２２が奥行きのある第一の表示像２１に沿ってを前記観察者に近づきながら移動しているように視認される表示が得られる。
【図面の簡単な説明】
【００５５】
【図１】本発明の第一の実施形態である表示装置の断面図。
【図２】同上実施形態の表示装置の正面図。
【図３】同上実施形態の要部断面図。
【図４】同上実施形態の初期動作を示すタイムチャート図
【図５】同上実施形態の初期動作を示す図。
【図６】同上実施形態の初期動作の別例を示す図。
【図７】同上実施形態の終了動作を示すタイムチャート図。
【図８】同上実施形態の終了動作を示す図。
【図９】同上実施形態の終了動作の別例を示す図。
【図１０】本発明の第二の実施形態の要部断面図
【図１１】本発明の第三の実施形態の要部断面図。
【図１２】表示装置の従来例を示す断面図。
【符号の説明】
【００５６】
１１  第一の表示器
１１ａ  発光表示面（表示面）
１２  第二の表示器
１２ａ  発光表示面（表示面）
１３  ハーフミラー（透過型反射パネル）
１４  第三の表示器
１５  第四の表示器
２１  第一の表示像
２２  第二の表示像
２３  第三の表示像
２４  第四の表示像
Ｅ    視線方向
Ｌ１  第一の光
Ｌ２  第二の光
Ｒ１  透過個所
Ｒ２  反射個所
【図１】
2006177920.tif 000003
【図２】
2006177920.tif 000004
【図３】
2006177920.tif 000005
【図４】
2006177920.tif 000006
【図５】
2006177920.tif 000007
【図６】
2006177920.tif 000008
【図７】
2006177920.tif 000009
【図８】
2006177920.tif 000010
【図９】
2006177920.tif 000011
【図１０】
2006177920.tif 000012
【図１１】
2006177920.tif 000013
【図１２】
2006177920.tif 000014